(57)【要約】【課題】バキューム装置の吸引力を減殺させずに補綴物の切削屑を効率よく回収できるようにして、口腔内の洗浄作業に支障を生じさせることなく補綴物の切削屑を貴金属資源として再利用することができる歯科切削屑の回収装置を提供する。【解決手段】本発明の歯科切削屑の回収装置１は、縦向きに配置される有底円筒状のケーシング１５と、このケーシング１５の上部に連通しかつバキューム装置５の吸引部１０に接続可能な排出口１６と、ケーシング１５の側部に連通しかつ口腔内に差し込まれる吸引管１２が接続可能な流入口１７と、この流入口１７から流入した補綴物の切削屑１８を含む気液混合流体をケーシング１５の内周面に沿って回転させて旋回流Ｒを発生させる偏向部材１９と、切削屑１８が下方に落下するのを許容しかつ上方に飛散するのを規制すべくケーシング１５の内部に設けられた隔壁部材２０と、ケーシング１５の底部に溜まった切削屑１８を外部に取り出すための開閉部材２３と、を備えている。【選択図】      図１
2004242860.tif 000002
【特許請求の範囲】
【請求項１】
縦向きに配置される有底円筒状のケーシング（１５）と、
このケーシング（１５）の上部に連通しかつバキューム装置（５）の吸引部（１０）に接続可能な排出口（１６）と、
前記ケーシング（１５）の側部に連通しかつ口腔内に差し込まれる吸引管（１２）が接続可能な流入口（１７）と、
この流入口（１７）から流入した補綴物の切削屑（１８）を含む気液混合流体を前記ケーシング（１５）の内周面に沿って回転させて旋回流（Ｒ）を発生させる偏向部材（１９）と、
前記切削屑（１８）が下方に落下するのを許容しかつ上方に飛散するのを規制すべく前記ケーシング（１５）の内部に設けられた隔壁部材（２０）と、
前記ケーシング（１５）の底部に溜まった前記切削屑（１８）を外部に取り出すための開閉部材（２３）と、
を備えている歯科切削屑の回収装置。
【請求項２】
隔壁部材（２０）はケーシング（１５）の内径とほぼ同径でかつ径外側に向かうに従って下方に傾斜した湾曲プレート（３１）よりなり、この湾曲プレート（３１）の外周縁部に切削屑通過用の切り欠き部（３４）が形成されている請求項１に記載の歯科切削屑の回収装置。
【請求項３】
ケーシング（１５）内における湾曲プレート（３１）の上方で発生している旋回流（Ｒ）の流れを切り欠き部（３４）に向かって偏向する偏向翼部（３５）が設けられている請求項２に記載の歯科切削屑の回収装置。
【請求項４】
隔壁部材（２０）は上下方向に離間した状態で互いに連結された上下一対の湾曲プレート（３１，３２）を備えており、下側の湾曲プレート（３２）の切り欠き部（３４）は上側の湾曲プレート（３１）の切り欠き部（３４）に対して周方向にずれた位置に配置されている請求項２又は３に記載の歯科切削屑の回収装置。
【請求項５】
偏向部材（１９）は、流入口（１７）に連通しかつケーシング（１５）の半径方向に対して傾斜した状態で同ケーシング（１５）の内周面から突設された傾斜筒部（３０）よりなる請求項１〜４のいずれかに記載の歯科切削屑の回収装置。
【請求項６】
排出口（１６）に連通する縦向きの延長筒部（２６）がケーシング（１５）内に設けられ、この延長筒部（２６）の下端が偏向部材（１９）よりも下位となるように当該延長筒部（２６）が下方に延設されている請求項５に記載の歯科切削屑の回収装置。
【請求項７】
切削屑（１８）の貯留部となるケーシング（１５）の下方部分が外部から内部を目視できる程度の透明性を有する材料により構成されている請求項１〜６のいずれかに記載の歯科切削屑の回収装置。
【発明の詳細な説明】
【０００１】
【発明の属する技術分野】
本発明は、歯科治療の際に口腔内で発生した切削屑を回収して再利用するための歯科切削屑の回収装置に関する。
【０００２】
【従来の技術】
歯科治療において、金歯や銀歯等の貴金属を含有する合金製の補綴物を歯牙から取り外す場合には、その補綴物をスプレー水で冷却しながら切削器で切削する必要がある。この切削に伴って口腔内に飛散した合金製の切削屑は、歯科用ユニットの吸引管によって口腔内から排出され、その吸引管が接続されたバキューム装置の気液分離タンクに回収されて廃棄される。このように、合金製の補綴物には金やプラチナ等の貴金属が含まれていて、これを回収すれば貴金属資源として再利用できるにも拘わらず、その他の不要な粉末と同様に汚物として廃棄処理されるのが通常である（特許文献１参照）。
【０００３】
一方、歯牙の吹き付け研磨のためにサンドブラスト装置から噴出したアルミナ粉末は、不溶性であるため、バキューム装置の回路内にそのまま吸引させると同回路の電磁弁等が損傷する恐れがある。そこで、このアルミナ粉末をバキューム装置の回路内に入る前に事前に回収する歯科用のフィルタユニットが既に開発されている。
かかるフィルタユニットは、口腔内に先端が挿入される吸引管と、この吸引管に接続された粉溜まりと、吸引管と粉溜まりの間に配置されたアルミナ粉末の逆流を防止する逆止弁と、粉溜まりの下流に配置されたフィルタと、このフィルタの下流に配置されたバキューム装置に対する接続部とから構成されている（特許文献２参照）。
【０００４】
【特許文献１】
特開平５−４９６８８号公報（請求項１、図１）
【特許文献２】
特開２００２−１４３１８１号公報（請求項１）
【０００５】
【発明が解決しようとする課題】
従って、上記従来のフィルタユニットを使用すれば、吹き付け研磨用のアルミナ粉末だけでなく、補綴物の切削の際に発生した貴金属合金製の切削屑を回収することも一応は可能であり、かかる切削屑を貴重な貴金属資源として再利用できるようになると考えられる。
しかし、上記従来のフィルタユニットでは、発泡材よりなる乾式フィルタや、粉溜まりに充填した貯水よりなる湿式フィルタで気液混合流体に含まれる固体（アルミナ粉末）を濾し取ることにより、その固体を気液混合流体から分離させるようにしているので、これらのフィルタによってケーシング内で圧力損失が発生し、バキューム装置による吸引力が減殺されることになる。
【０００６】
このため、アルミナ粉末のような比較的比重の小さい粉体の場合には、従来のフィルタユニットを使用しても、同粉体をバキューム装置によって口腔内から吸引することができるが、金歯や銀歯の切削の際に発生した合金製の切削屑のような比較的比重の大きい粉体の場合には、従来のフィルタユニットを使用すると、同粉体をバキューム装置によって口腔内から適切に吸引することができなくなって、歯科治療における口腔内の洗浄作業が遅くなる恐れがある。
【０００７】
本発明は、このような実情に鑑み、バキューム装置の吸引力を減殺させずに補綴物の切削屑を効率よく回収できるようにして、口腔内の洗浄作業に支障を生じさせることなく補綴物の切削屑を貴金属資源として再利用することができる歯科切削屑の回収装置を提供することを目的とする。
【０００８】
【課題を解決するための手段】
上記目的を達成すべく、本発明は次の技術的手段を講じた。
すなわち、本発明に係る歯科切削屑の回収装置は、縦向きに配置される有底円筒状のケーシングと、このケーシングの上部に連通しかつバキューム装置の吸引部に接続可能な排出口と、前記ケーシングの側部に連通しかつ口腔内に差し込まれる吸引管が接続可能な流入口と、この流入口から流入した補綴物の切削屑を含む気液混合流体を前記ケーシングの内周面に沿って回転させて旋回流を発生させる偏向部材と、前記切削屑が下方に落下するのを許容しかつ上方に飛散するのを規制すべく前記ケーシングの内部に設けられた隔壁部材と、前記ケーシングの底部に溜まった前記切削屑を外部に取り出すための開閉部材と、を備えたものである。
【０００９】
本発明に係る回収装置は、バキューム装置の吸引部（バキュームホースやインスツルメントホルダ等）をケーシングの排出口に接続し、口腔内に差し込まれる吸引管をケーシングの流入口に接続することにより、当該バキューム装置に組み込まれる。この状態において、切削屑が発生している口腔内に吸引管を差し込んでバキューム装置を作動すると、その吸引管を通じて切削屑を含む気液混合流体が流入口からケーシング内に流入し、この気液混合流体は偏向部材によってケーシングの内周面に沿って回転して旋回流となる。
【００１０】
そして、この旋回流のサイクロン作用により、比重の小さい空気や液体はバキューム装置の吸引力で排出口からケーシングの外部に排出されるとともに、比重の大きい切削屑はケーシングの内周面に沿って落下し、隔壁部材を通過してケーシングの底部に溜まる。この隔壁部材は切削屑が上方に飛散するのを規制する機能を有しているので、いったんケーシングの底部に溜まった切削屑がケーシングの上部にある排出口から外部に排出されることはない。そして、このようにしてケーシングの底部に溜まった切削屑は、開閉部材を介してケーシングの外部に取り出すことによって回収することができる。
【００１１】
このように、本発明に係る回収装置によれば、偏向部材で発生させた旋回流のサイクロン作用によって切削屑を気液混合流体と分離するようにしたので、従来のフィルタ式の場合のような圧力損失がケーシング内で発生することがなく、バキューム装置の吸引力が減殺されることがない。また、補綴物の切削屑が上方に飛散するのを規制する隔壁部材がケーシングの内部に設けられているので、いったんケーシングの底部に溜まった切削屑が排出口から排出されることがなく、補綴物の切削屑を効率よく回収することができる。
【００１２】
以下、従属請求項の記載に基づいて、本発明のより好ましい具体的態様を説明する。
まず、本発明において、隔壁部材は、ケーシングの内径とほぼ同径でかつ径外側に向かうに従って下方に傾斜した湾曲プレートにより構成することができ、この湾曲プレートの外周縁部に切削屑通過用の切り欠き部が形成されている。この湾曲プレートの場合、径外側に向かうに従って下方に傾斜していることから、湾曲プレートの上方にある切削屑は切り欠き部を下方に通過し易く、同湾曲プレートの下方にある切削屑は切り欠き部を上方へ通過し難くなる。このため、かかる形状の湾曲プレートを採用すれば、切削屑が下方に落下するのを許容しかつ上方に飛散するのを規制する機能を有する隔壁部材を比較的容易に製造することができる。
【００１３】
一方、上記湾曲プレートを採用する場合において、ケーシングの底部に切削屑が溜まり易くなるには、出来るだけ切り欠き部を大きくすればよいが、この切り欠き部を余り大きくすると、今度は、旋回流の影響が湾曲プレートの下方にまで及び、ケーシングの底部に溜まった切削屑が切り欠き部を通って上方に飛散し易くなるという不都合が生じる。
そこで、本発明は、ケーシング内における湾曲プレートの上方で発生している旋回流の流れを切り欠き部に向かって偏向する偏向翼部を設けることを推奨する。かかる偏向翼部を形成すれば、切り欠き部を必要以上に大きくしなくても、湾曲プレートの上方にある切削屑を確実に切り欠き部に案内することができる。このため、切削屑の上方への飛散率を増大させることなく切削屑の下方への落下率を増大させることができ、当該切削屑の捕集効率を向上することができる。
【００１４】
また、前記湾曲プレートを採用する場合において、上下方向に離間した状態で互いに連結された上下一対の湾曲プレートから隔壁部材を構成するとともに、下側の湾曲プレートの切り欠き部を上側の湾曲プレートの切り欠き部に対して周方向にずれた位置に配置することが好ましい。かかる二重プレート構造の隔壁部材を採用すれば、上下の湾曲プレートの切り欠き部の周方向位置がずれているため、ケーシングの底部に溜まった切削屑が切り欠き部を通じて上方に飛散するのがより確実に規制され、当該切削屑の捕集効率をよりいっそう向上することができる。
【００１５】
一方、本発明において、前記偏向部材は、例えば、流入口に連通しかつケーシングの半径方向に対して傾斜した状態で同ケーシングの内周面から突設された傾斜筒部より構成することができる。
また、本発明において、排出口に連通する縦向きの延長筒部をケーシング内に設け、この延長筒部の下端が偏向部材よりも下位となるように当該延長筒部を下方に延設することが好ましい。かかる構造の延長筒部を採用すれば、ケーシング内に流入してきた気液混合流体が旋回する前に直接排出口に入り込むことがなく、気液混合気体が排出口にショートカットすることに伴う切削屑の漏洩を未然に防止することができる。
【００１６】
更に、本発明において、切削屑の貯留部となるケーシングの下方部分を外部から内部を目視できる程度の透明性を有する材料により構成すれば、切削屑の貯留状況を外部から目視で確認することができ、当該切削屑の取り出しタイミングを容易に察知することができる。
【００１７】
【発明の実施の形態】
以下、図面を参照しつつ、本発明の実施形態を説明する。
図１〜図３は、本実施形態に係る歯科切削屑の回収装置１とその構成部品を示し、図４は同回収装置１を用いた歯科治療ユニット２を示している。
図４に示すように、上記歯科治療ユニット２は、高さ調整自在でかつリクライニング角度調整自在な治療椅子３と、この椅子３の側方に配置されたスピットン装置４及びバキューム装置５を備えており、スピットン装置４は、椅子３の側部に配置された給排水ボックス６上にスピットン７と作業アーム８を搭載することによって構成されている。
【００１８】
バキューム装置５は、フィルタや電磁バルブ等を有する複数の配管系統が内蔵された装置本体９と、この装置本体９から立設されかつ上端にインスツルメントホルダ１０を有する作業支柱１１と、本実施形態の回収装置１を介してホルダ１０に接続された吸引管１２とを備えている。装置本体９の内部には、バキュームモータ１３（図１参照）に通じる吸引用の配管系統と、コンプレッサに通じる噴出用の配管系統が収納されており、これらの配管系統はいずれも作業支柱１１の内部を通ってインスツルメントホルダ１０に到達している。
【００１９】
そして、このホルダ１０に到達している二つの配管系統のうち、吸引用の配管系統に後述する回収装置１の排出口１６が接続され、この回収装置１の流入口１７に前記吸引管１２が接続されている。従って、吸引管１２を口腔内に差し込んでバキュームモータ１３を作動させると、同モータ１３の吸引力によって、口腔内の廃液や異物が吸引管１２、回収装置１及び作業支柱１１を通って装置本体９に引き込まれ、装置本体９内のバルブを介して気液分離タンク（図示せず。）に導かれるようになっている。
なお、図示していないが、インスツルメントホルダ１０には、実際には、上記吸引管１２だけでなく、噴出用の噴出管や歯牙又は補綴物の切削を行う切削器等が接続されている。
【００２０】
図１に示すように、本実施形態の回収装置１は、縦向きに配置される有底円筒状の硬質プラスチックよりなるケーシング１５と、このケーシング１５の上部に連通しかつインスツルメントホルダ１０に接続可能な排出口１６と、ケーシング１５の側部に連通しかつ口腔内に差し込まれる吸引管１２が接続可能な流入口１７と、この流入口１７から流入した補綴物の切削屑１８を含む気液混合流体をケーシング１５の内周面に沿って回転させて旋回流Ｒを発生させる偏向部材１９と、切削屑１８が下方に落下するのを許容しかつ上方に飛散するのを規制すべくケーシング１６の内部に設けられた隔壁部材２０とを備えている。
【００２１】
このうち、ケーシング１５は、上下両端がともに開放された円筒状の上部筒体２１と、この上部筒体２１の上端開口部を気密に閉塞する円盤状の天板２２と、上部筒体２１の下端開口部を着脱自在に閉塞する下部筒体２３とから構成されている。この下部筒体２３は、上端開口部が開放されかつ下部がほぼ半球状に形成された有底円筒体よりなり、上部筒体２１の下端部に形成された雌ねじ部２４に螺合する雄ねじ部２５を上端部に備えている。
このため、下部筒体２３を上部筒体２１に対して相対回動させることによって両筒体２１，２３が互いに着脱自在となっており、ケーシング１５内の清掃や切削屑１８の取り出しは、下部筒体２３を上部筒体２１から分離させることによって行うことができる。従って、本実施形態の回収装置１では、ケーシング１５の下半部分を構成する下部筒体２３が、その底部に溜まった切削屑１８を外部に取り出すための開閉部材としての機能を有している。
【００２２】
なお、切削屑１８の貯留部を構成する当該下部筒体２３は、外部から内部を目視できる程度の透明性を有する材料により構成することもできる。この場合には、切削屑１８の貯留状況を外部から目視で確認することができ、当該切削屑１８の取り出しタイミングを容易に察知することができる。また、図示していないが、天板２２と上部筒体２１との結合手段として、上部筒体２１と下部筒体２３と同様のねじ式の結合手段を採用することもできる。
排出口１６は、ケーシング１５の同軸心状に縦向きに配置されており、天板２２の上面中央部から上方に突出するように同天板２２に一体に形成されている。また、天板２２の下面側には、排出口１６に同軸心状に連通する縦向きの延長筒部２６が一体に設けられており、この延長筒部２６は、その下端が偏向部材１９よりも下位となるようにケーシング１５の内部に下方に延設されている。
【００２３】
流入口１７は、上部筒体２１の周壁部を径方向に貫通する筒体よりなり、この流入口１７の突出端部には、上下方向に延びる接続管２８が一体に連結されている。この接続管２８はケーシング１５よりも下方に延設されており、この接続管２８の下端部に吸引管１２の接続部２９が形成されている。
本実施形態の偏向部材１９は、流入口１７に接続された傾斜筒部３０によって構成されている。この傾斜筒部３０は、ケーシング１５の半径方向に対して傾斜した状態となるように同ケーシング１５の内周面から突設されている。このため、流入口１７から流入する気液混合流体は、当該傾斜筒部３０によって偏向されてケーシング１５の内周面に沿う方向に流入し、同ケーシング１５の内周面に沿って回転する旋回流Ｒとなる。
【００２４】
なお、本実施形態では、延長筒部２６を上記傾斜筒部３０（偏向部材１９）よりも下方に延設させているので、ケーシング１５内に流入してきた気液混合流体が旋回する前に直接排出口１６に入り込むことがなく、これにより、気液混合気体が排出口１６にショートカットすることに伴う切削屑１８の漏洩を未然に防止している。また、本実施形態では、延長筒部２６の下方空間が粗目の金網等よりなる網目部材２７で上下に分離され、この網目部材２７により、比較的比重が小さくかつ大きめの異物が排出口１６に引き込まれるのを防止している。
【００２５】
図１〜図３に示すように、本実施形態の隔壁部材２０は、上下方向に離間した状態で互いに連結された上下一対の湾曲プレート３１，３２よりなり、ケーシング１５の下部筒体２３の内部に収納されている。これらの湾曲プレート３１，３２は、ケーシング１５（下部筒体２３）の内径とほぼ同径で、かつ、径外側に向かうに従って下方に傾斜した形状に形成されている。また、これらの湾曲プレート３１，３２は、その外周縁部が下部筒体２３の内周面と摺動自在に接触しており、下部筒体２３に対して着脱自在となっている。なお、図例の湾曲プレート３１，３２はほぼ半球ドーム状に形成されているが、円すい状であってもよい。
【００２６】
上下の各湾曲プレート３１，３２は、合計３本の連結片３３を介して上下方向に離間した状態に連結されており、切削屑通過用の切り欠き部３４を外周縁部に備えている。この切り欠き部３４は、湾曲プレート３１，３２の外周縁部を右回り方向に進むに従って次第に深く切削することによって形成されており、当該湾曲プレート３１，３２の周方向３箇所に等間隔おきに配置されている。そして、下側の湾曲プレート３２の切り欠き部３４と上側の湾曲プレート３１の切り欠き部３４とは、互いに周方向にずれた位置（本実施形態では概ね６０度だけずれた位置）に配置されている。
【００２７】
また、本実施形態の隔壁部材２０では、ケーシング１５内における上側の湾曲プレート３１の上方で発生している旋回流Ｒの流れを切り欠き部３４に向かって偏向する偏向翼部３５が上側の湾曲プレート３１の上面に形成されている。この偏向翼部３５は、切り欠き部３４に対応して、湾曲プレート３１の周方向３箇所に等間隔おきに配置されており、径方向に沿って湾曲したほぼ三角形状の板材よりなる。また、各偏向翼部３５は、先端部分が根元部分よりも旋回流Ｒの流れ方向前方となる方向に傾斜した状態で、上側の湾曲プレート３１の上面に突設されている。
【００２８】
更に、図２及び図３に示すように、本実施形態の隔壁部材２０は、湾曲プレート３１，３２の中心部にエア抜き孔３６を備えており、このエア抜き孔３６により切削屑１８を切り欠き部３４に積極的に引き込むようにしている。すなわち、隔壁部材２０の上方に発生している旋回流Ｒの中心部は負圧になっていることから、湾曲プレート３１，３２の中心部にエア抜き孔３６を形成すると、その孔３６を介してケーシング１５の底部が減圧され、旋回流Ｒとともに隔壁部材２０の上方を周回している切削屑１８が切り欠き部３４に引き込まれ易くなる。
【００２９】
次に、上記構成に係る歯科切削屑の回収装置１の作用を説明する。
図４に示すように、本実施形態の回収装置１は、バキューム装置５の吸引部を構成する前記インスツルメントホルダ１０をケーシング１５の排出口１６に接続し、口腔内に差し込まれる吸引管１２をケーシング１５の流入口１７に接続することにより、当該バキューム装置５に組み込まれている。
この状態において、補綴物の切削屑１８が発生している口腔内に吸引管１２を差し込んでバキューム装置５のモータ１３を作動すると、その吸引管１２を通じて切削屑１８を含む気液混合流体が流入口１７からケーシング１５内に流入し、図１に示すように、この気液混合流体は偏向部材１９によってケーシング１５の内周面に沿って回転し、旋回流Ｒとなる。
【００３０】
そして、この旋回流Ｒのサイクロン作用によって、図１で矢印Ｓ１で示すように、比重の小さい空気や液体はバキューム装置５の吸引力で排出口１６からケーシング１５の外部に排出されるとともに、図１で矢印Ｓ２で示すように、比重の大きい切削屑１８はケーシング１５の内周面に沿って落下し、隔壁部材２０の切り欠き部３４を通過してケーシング１５の底部に溜まる。
一方、上記隔壁部材２０は、径外側に向かうに従って下方に傾斜する湾曲プレート３１，３２よりなり、湾曲プレート３１，３２の上方にある切削屑１８は切り欠き部３４を下方に通過し易い反面、同湾曲プレート３１，３２の下方にある切削屑１８は切り欠き部３４を上方へ通過し難くなっていることから、切削屑１８が上方に飛散するのを規制する機能を有している。
【００３１】
このため、いったんケーシング１５の底部に溜まった切削屑１８がケーシング１５の上部にある排出口１６から外部に排出されることはない。なお、このようにしてケーシング１５の底部に溜まった切削屑１８は、下部筒体２３を上部筒体２１から取り外すことにより、ケーシング１５の外部に取り出して回収することができる。
このように、本実施形態の回収装置１によれば、偏向部材１９で発生させた旋回流Ｒのサイクロン作用によって切削屑１８を気液混合流体と分離するようにしたので、従来のフィルタ式の場合のような圧力損失がケーシング１５内で発生することがなく、バキューム装置５の吸引力が減殺されることがない。また、隔壁部材２０によって補綴物の切削屑１８が上方に飛散するのが規制されているので、いったんケーシング１５の底部に溜まった切削屑１８が排出口１６から排出されることがなく、補綴物の切削屑１８を効率よく回収することができる。
【００３２】
また、本実施形態の回収装置１では、ケーシング１５内における湾曲プレート３１の上方で発生している旋回流Ｒの流れを切り欠き部３４に向かって偏向する偏向翼部３５が湾曲プレート３１の上面に形成されているので、切り欠き部３４を必要以上に大きくしなくても、湾曲プレート３１の上方にある切削屑１８を確実に切り欠き部３４に案内することができる。このため、切削屑１８の上方への飛散率が増大することなく切削屑１８の下方への落下率が増大し、当該切削屑１８の捕集効率が向上する。
【００３３】
更に、本実施形態の回収装置１では、上下方向に離間した上下一対の湾曲プレート３１，３２よりなる二重プレート構造の隔壁部材２０が採用され、しかも、その上下の湾曲プレート３１，３２の切り欠き部３４の周方向位置がずれているので、ケーシング１５の底部に溜まった切削屑１８が切り欠き部３４を通じて上方に飛散するのがより確実に規制され、この点で、当該切削屑１８の捕集効率をよりいっそう向上することができる。
【００３４】
なお、上記した実施形態はすべて例示であって制限的なものではない。本発明の範囲は特許請求の範囲によって規定され、そこに記載された構成と均等の範囲内のすべての変更も本発明に含まれる。
例えば、前記隔壁部材２０は、切削屑１８が下方に落下するのを許容しかつ上方に飛散するのを規制する機能を有する部材であればよく、一つの湾曲プレート３１のみから構成することも可能であり、同隔壁部材２０の構造は、図示の湾曲プレート３１，３２に限定されるものではない。また、偏向翼部３５は、湾曲プレート３１の上面ではなく、ケーシング１５の内周面に形成することにしてもよい。
【００３５】
更に、上記実施形態では、回収装置１の排出口１６をインスツルメントホルダ１０に接続しているが、同排出口１６をバキューム装置５内のその他のホース部分に接続するようにしてもよい。また、偏向部材１９は、前記傾斜筒部３０だけでなく、流入口１７の内側開口部に突設された翼片によって構成することもできる。
また、切削屑１８を外部に取り出すための開閉部材は、上部筒体２１に螺合させた下部筒体２３だけでなく、ケーシング１５の底部に開閉自在に枢着された開閉ハッチにより構成することもできる。
【００３６】
【発明の効果】
以上説明したように、本発明によれば、バキューム装置の吸引力を減殺させずに補綴物の切削屑を効率よく回収することができるので、口腔内の洗浄作業に支障を生じさせることなく、補綴物の切削屑を貴金属資源として再利用することができる。
【図面の簡単な説明】
【図１】歯科切削屑の回収装置の縦断面図である。
【図２】隔壁部材の斜視図である。
【図３】隔壁部材の平面図である。
【図４】上記回収装置を組み込んだ歯科用ユニットの一例を示す斜視図である。
【符号の説明】
１      回収装置
２      歯科用ユニット
５      バキューム装置
１０      インスツルメントホルダ（吸引部）
１２      吸引管
１５      ケーシング
１６      排出口
１７      流入口
１８      切削屑
１９        偏向部材
２０      隔壁部材
２３      下部筒体（開閉部材）
２６      延長筒部
３０      傾斜筒部
３６      偏向翼部
【図１】
2004242860.tif 000003
【図２】
2004242860.tif 000004
【図３】
2004242860.tif 000005
【図４】
2004242860.tif 000006